(57)【要約】【課題】退避スペースを少なくして焦点距離の切り替えを高精度に行う。【解決手段】折り曲げ光学系は、第１レンズ群１１、プリズム１２、第２レンズ群１３、及び、結像レンズ系１４で構成されている。第１レンズ群１１、プリズム１２、及び第２レンズ群１３は保持部材２６に一体的に組み込まれている。保持部材２６は、第１及び第２光軸１６，２４を含む面に直交する回転軸２７を中心として第１位置と第２位置との間で回転する。第１位置では、プリズム１２の斜面内面１８と、第１及び第２レンズ群１１，１３とを光軸１６，２４上に一緒に挿入し、また、第２位置では、プリズム１２の斜面外面１９を挿入するとともに、第１及び第２レンズ群１１，１３を光軸１６，２４上から退避させる。【選択図】図１
2009063838.tif 000002
【特許請求の範囲】
【請求項１】
物体側から順に第１レンズ群、反射部材、第２レンズ群、及び、結像レンズ系を配し、前記第１レンズ群が配置された第１光軸を通る被写体光を前記反射部材で前記第２レンズ群が配置された第２光軸に向けて折り曲げる折り曲げ光学系を備え、前記第１レンズ群及び前記第２レンズ群を前記第１及び第２光軸に対して挿脱することで焦点距離を切り替えるレンズ装置において、
前記反射部材に、前記第１レンズ群、及び前記第２レンズ群を前記第１及び第２光軸上に挿入したときに使用する第１反射面と、前記第１レンズ群、及び前記第２レンズ群を前記第１及び第２光軸上から退避したときに使用する第２反射面とを設け、
前記第１レンズ群、前記反射部材、及び、前記第２レンズ群を一体的に保持し、前記第１及び第２光軸を含む面と直交する軸を中心に回転自在に設けられている保持部材と、
前記第１レンズ群、前記第１反射面、及び、前記第２レンズ群を前記第１及び第２光軸上に挿入する第１位置と、これらを前記第１及び第２光軸上から退避しかつ前記第２反射面を前記第１及び第２光軸上に挿入する第２位置との間で、前記保持部材を前記軸を中心に回転させる回転機構と、
を備えたことを特徴とするレンズ装置。
【請求項２】
前記反射部材は、斜面に反射層を形成した直角プリズムで構成されており、前記斜面の内面反射を前記第１反射面として使用し、前記斜面の表面反射を前記第２反射面として使用することを特徴とする請求項１記載のレンズ装置。
【請求項３】
前記反射部材は、両面反射ミラーであることを特徴とする請求項１記載のレンズ装置。
【請求項４】
物体側から順に第１レンズ群、反射部材、第２レンズ群、及び、結像レンズ系を配し、前記第１レンズ群が配置された第１光軸を通る被写体光を前記反射部材で前記第２レンズ群が配置された第２光軸に向けて折り曲げる光学系を備え、前記第１レンズ群及び前記第２レンズ群を前記第１及び第２光軸に対して挿脱することで焦点距離を切り替えるレンズ装置において、
前記反射部材を前記第１及び第２光軸上に挿入する折り曲げ位置と、前記第１及び第２光軸上から退避する退避位置との間で移動自在に支持する反射部材支持手段と、
前記第１又は２レンズ群のうちのいずれか一方のレンズ群を前記第１及び第２光軸に挿入する挿入位置と、前記第１及び第２光軸上から退避させる退避位置との間で移動自在に支持する一方レンズ支持手段と、
前記他方のレンズ群を保持しており、前記他方のレンズ群を前記第１及び第２光軸上に挿入する第１位置と、前記第１及び第２光軸上から退避する第２位置との間で移動自在に設けられた移動部材と、
前記移動部材を前記第１位置と第２位置との間で移動することに連動して、前記反射部材を折り曲げ位置から退避位置を経由して再び折り曲げ位置に戻すまでの一往復分だけ移動させるとともに、前記反射部材が退避位置に向けて移動することにより生じるスペースを通して前記一方のレンズ群を挿入位置と退避位置との間で移動させる連動機構と、
を備えたことを特徴とするレンズ装置。
【請求項５】
前記連動機構は、前記移動部材に設けられ前記反射部材に設けた第１カム突起に係合する第１カム面と、前記移動部材に設けられ前記一方のレンズ群を保持する保持部材に設けられた第２カム突起に係合する第２カム面と、から構成されるカム機構になっていることを特徴とする請求項４記載のレンズ装置。
【発明の詳細な説明】
【技術分野】
【０００１】
本発明は、反射部材を有するアフォーカル系を結像レンズ系の物体側に配した折り曲げ光学系を有し、アフォーカル系を折り曲げ光学系の光軸に対して挿脱することで焦点距離を切り替えるレンズ装置に関するものである。
【背景技術】
【０００２】
従来、プリズムやミラーなどの反射部材を用いて光学系を略直角に折り曲げることによって電子カメラの厚み方向の薄型化を図った折り曲げ光学系が知られている（特許文献１）。
【０００３】
特許文献１に記載の折り曲げ光学系は、負の屈折力を有する第１レンズ群と、プリズム等の反射により光路を折り曲げる反射部材と、正の屈折力を有する第２レンズ群と、結像レンズ系とを被写体側より順に配した構成になっている。そして、第１レンズ群、反射部材、及び、第２レンズ群とで、縮小倍率のアフォーカル系を構成している。変倍は、結像レンズ系を構成する２つのレンズ群を光軸方向に移動することで行っている。
【０００４】
物体側にアフォーカル系を配置した光学系では、テレ端の焦点距離を長くすると、結像レンズ系の全長が長くなる欠点がある。そこで、従来の変倍域をカバーしつつ結像レンズ系の長さを短くすることが望まれていた。
【０００５】
そこで、反射部材の前後に配した第１及び第２レンズ群を光軸に対して直交する方向に出入り自在に設けて、焦点距離を切り替えるようにした変倍レンズ系が提案されている（特許文献２）。この変倍レンズ系では、第１レンズ群及び第２レンズ群をプラスチック材料で一体的に形成しており、これら第１レンズ群及び第２レンズ群を、結像レンズ系と光軸が一致する挿入位置と結像レンズ系の光路から退避する退避位置とで横方向にスライド移動させることにより全系の焦点距離を切り替えている。
【特許文献１】特開平９−１３３８５８号公報
【特許文献２】特開２００５−３０１１１０号公報
【発明の開示】
【発明が解決しようとする課題】
【０００６】
ところで、前述した折り曲げ光学系では、反射部材周りの組立誤差が光学系の撮像点の点像を大きくさせ、撮影性能の劣化を引き起こす要因となる。そこで、反射部材周りの組立誤差をいかに抑えるかが量産化への大きな課題になっている。しかしながら、前述した折り曲げ光学系では、反射部材に対して第１及び第２レンズ群が移動するため、これらが機構的に分離した形態になっているとともに横にスライド移動する形態になっている。このため、組立誤差を発生する要素が多く、調芯作業が複雑になる。また、結像光学系の光軸に対して直交する方向に第１及び第２レンズ群の退避スペースが必要になるため、カメラの横方向が大型化する。
【０００７】
本発明は、上述した従来技術の欠点を解決し、反射部材の周りでの組立誤差を抑えるとともに、退避スペースが少なくなるように工夫したレンズ装置を提供することを目的とする。
【課題を解決するための手段】
【０００８】
そこで、本発明のレンズ装置では、第１レンズ群、及び第２レンズ群を光軸上に挿入したときに使用する第１反射面と、第１レンズ群、及び第２レンズ群を光軸上から退避したときに使用する第２反射面とを反射部材に設けるとともに、第１レンズ群、反射部材、及び、第２レンズ群を一体的に支持し光軸を含む面と直交する軸を中心に回転自在に設けられている保持部材と、第１レンズ群、第１反射面、及び、第２レンズ群を光軸上に挿入する第１位置とこれらを光軸上から退避しかつ第２反射面を光軸上に挿入する第２位置との間で保持部材を前記軸を中心に回転させる回転機構と、を備えたものである。
【０００９】
反射部材としては、斜面外面に反射層を設けて斜面内面を第１反射面として利用し、斜面外面を第２反射面として利用する直角プリズムや、両面反射ミラーなどを用いることができる。
【００１０】
上記の構成では、保持部材を回転することで第１レンズ群、反射部材、及び、第２レンズ群を一緒に回転するタイプであるので、保持部材が第１位置のときに使用する第１反射面と、第２位置のときに使用する第２の反射面との２つの反射面が反射部材に必要になる。これに対し、一つの反射面のみをもつ片面反射ミラーを用いる場合には、第１レンズ群及び第２レンズ群のうちのいずれか一方のレンズ群を挿入位置と退避位置との間で移動自在に設けるとともに、他方のレンズ群を移動部材に保持してその移動部材の移動と一緒に他方のレンズ群を挿脱し、また、その移動部材の移動に連動して一方のレンズ群を挿脱する連動機構を設けるのが好適である。この連動機構としては周知のカム機構やリンク機構などを用いることができる。この場合、一方のレンズ群を反射部材にぶつけないように挿脱することを考慮すると、反射部材を避ける退避経路を広くとらざるを得ないため、広い退避スペースが必要になる。そこで、反射部材を折り曲げ位置と退避位置との間で移動自在に設け、反射部材をいったん退避位置に向けて移動し、その空いたスペースを通して一方のレンズ群を挿脱すればよい。
【発明の効果】
【００１１】
本発明では、反射部材、第１及び第２レンズ群を保持部材に一体的に組み込んで光軸を含む面に直交する軸を中心に回転させるだけであるので、従来技術で説明したものと比較して反射部材周りの組立誤差を低減することができる。また、保持部材を回転機構で回転させるだけであるので、従来技術で説明したものと比べて退避スペースを極力少なくすることができる。
【００１２】
また、反射部材をいったん退避させてその空いたスペースを利用して一方のレンズ群を挿脱するようにしたから、一方のレンズ群の退避スペースを少なくすることができる。
【発明を実施するための最良の形態】
【００１３】
本発明のレンズ装置１０は、図１に示すように、第１レンズ群１１、プリズム（反射部材）１２、第２レンズ群１３、結像レンズ系１４、及び、撮像手段１５を物体側から順に配した構成になっている。第１レンズ群１１は、負の屈折力を有し、撮影窓１７を通して被写体からの光束を第１光軸１６に沿って取り込む。
【００１４】
プリズム１２は、直角をなす２つの面と斜面とを有する直角プリズムとなっている。斜面外面１９には、コーティングやメッキにより反射層が設けられており、これにより、斜面内面（第１反射面））１８が内面反射の作用を、また、斜面外面（第２反射面）１９が表面反射の作用をする。
【００１５】
第２レンズ群１３は、正の屈折力を有する。結像レンズ系１４は、物体側から順に４つのレンズ群２０〜２３で構成されており、プリズム１２により第２光軸２４に向けて折り曲げられた光束を結像する。撮像手段１５は、例えばＣＣＤやＣＭＯＳなどの撮像素子であり、結像レンズ系１４により結像する被写体像を撮像する。
【００１６】
第１レンズ群１１、プリズム１２、及び、第２レンズ群１３とは、アフォーカル系のワイドコンバーターを構成している。これら第１レンズ群１１、プリズム１２、及び、第２レンズ群１３は、保持部材２６に位置決めした状態で一体的に組み込まれている。この保持部材２６には、第１レンズ群１１、プリズム１２、及び、第２レンズ群１３をそれぞれ位置決めする位置決め部が設けられている。
【００１７】
保持部材２６は、回転軸２７を中心に回転自在に取り付けられている。回転軸２７は、第１及び第２光軸１６，２４を含む面に直交する軸である。これにより保持部材２６は、斜面内面１８で第１光軸１６に沿って入射する被写体光を第２光軸２４に向けて折り曲げる第１位置と、図２に示すように、斜面外面１９で第１光軸１６に沿って入射する被写体光を第２光軸２４に向けて折り曲げる第２位置との間で１８０度回転する。
【００１８】
第１位置のときには、保持部材２６が第１及び第２レンズ群１１，１３を光軸が第１及び第２光軸１６，２４に一致するように挿入するため、全系が短い焦点距離になる。第２位置のときには、保持部材２６が１８０度回転するため、第１及び第２ンレズ群１１，１３が第１及び第２光軸１６，２４の上から退避して全系が長い焦点距離になる。
【００１９】
保持部材２６の回動軌跡外には、第１及び第２ストッパ３５，２８が設けられている。第１ストッパ３５は、保持部材２６の一部に当接して第１位置に位置決めし、また、第２ストッパ２８は、保持部材２６の他部に当接して第２位置に位置決めする。
【００２０】
この電子カメラは、オートフォーカスのズームカメラであり、結像レンズ系１４は、４つのレンズ群２０〜２３のうちの中２つのレンズ群２１，２２を互いの間隔が変わるように物体側に向けて移動することで変倍を行う。この移動は、モータ２９の駆動が伝達されるカム軸３０と、各レンズ保持枠３１，３２に設けられたカムピン３３，３４とで構成された移動手段により行われる。移動手段は、各カムピン３３，３４がカム軸３０のカム溝に係合しており、カム軸３０の回転により予め決められたカム面のリードに従って各レンズ群２１，２２を移動させる。ここで、符号２５は、結像レンズ系１４の前に配した固定の絞りである。なお、焦点距離に応じて絞り径を変える可変絞りを用いてもよい。また、図示していないが、ガイド軸、リードスクリュー、ステッピングモータにより、レンズ群２３を光軸方向に移動することでフォーカスを行う。
【００２１】
保持部材２６が第１位置のときには、フロントコンバーターを構成する第１レンズ群１１、プリズム１２、及び第２レンズ群１３の焦点距離が短くなり、負のパワーをもつ第１レンズ群１１の主点位置が第２レンズ群１３寄りに仮想的に近づくことになる。このため、第１レンズ群１１の有効口径、すなわち第１レンズ群１１のレンズ径及び撮影窓１７の径を小さくすることができる。しかも、第２位置のときも、焦点距離が長く画角が狭くなるため、空気中で被写体光を反射しても第１レンズ群１１の有効口径が小さくて済む。
【００２２】
回転軸２７は、図３に示すように、保持部材２６の両側にそれぞれ設けられている。一対の回転軸２７は、図示していないが支持手段により回転自在に支持されている。一方の回転軸２７には、ギヤ列３６を介して操作ダイヤル３７の回転駆動が入力される。この操作ダイヤル７は、例えば電子カメラの外部に操作可能に設けられており、回動することで第１位置と第２位置とで保持部材２６を回転させる。また、レンズ装置１０には、保持部材２６が第１位置に移動していることを検出するための検出手段が設けられている。検出手段は、例えば光電センサ３８と、保持部材２６に設けた反射板３９とで構成されている。なお、操作ダイヤル３７の代わりに、直線状に移動するスライド操作部材を設けて、スライド操作部材の直線駆動をラック・アンド・ピニオンにより回転駆動に変換して保持部材２６を回転させてもよい。また、操作ダイヤル３７やスライド操作部材の代わりにモータを設けて、モータの駆動により保持部材２６を回転させるように構成してもよい。
【００２３】
結像レンズ系１４が変倍機構をもつことで、図４に示すように、保持部材２６が第２位置のときにはテレ位置Ｔとワイド位置Ｗとの変倍域で変倍が行える。そして、保持部材２６を第１位置に切り替えると、テレ位置Ｔよりもワイド側に寄ったテレ位置Ｔ１とワイド位置Ｗよりもワイド側に寄ったワイド位置Ｗ１との変倍域で変倍が行える。第１位置と第２位置とに保持部材２６を切り替えて利用することでテレ位置Ｔとワイド位置Ｗ１との間の広い変倍域を利用することができる。
【００２４】
レンズ装置１０は、図５に示すように、例えば電子カメラ５０に用いられる。電子カメラ５０の内部にはＣＰＵ５１が設けられており、該電子カメラ５０の各部と接続されている。ＣＰＵ５１は、ＲＯＭ５２に記憶されたシーケンスプログラムをＲＡＭ５３に読み出して接続された各部を駆動制御する。ＣＰＵ５１による制御は、電源ボタン５５、シャッタボタン５６などからなる操作部５４の操作により発生する操作信号に基づいて行われる。
【００２５】
符号２９は変倍用のモータ、符号３８は保持部材２６の位置を検出する光電センサなどの検出手段である。モータ２９は、ＣＰＵ５１に制御されるモータドライバ５９によって駆動される。光電センサ３８から得られる保持部材２６の位置情報は、露出制御などを行うときに利用される。
【００２６】
ＣＣＤ１５は、画素毎に、受光量に応じた電荷を蓄積する光電変換素子を備えており、タイミングジェネレータ（ＴＧ）６１から供給される垂直転送クロック及び水平転送クロックに同期して、各画素に蓄積された電荷を１ラインずつシリアルな撮像信号として出力することで撮像を行う。各画素の電荷蓄積時間（露出時間）は、ＴＧ６１から与えられる電子シャッタ駆動信号によって決定される。
【００２７】
ＣＣＤ１５から出力された撮像信号は、アナログ信号処理回路６２に入力される。アナログ信号処理回路６２は、相関２重サンプリング回路（ＣＤＳ）６３と、増幅回路（ＡＭＰ）６４と、ＡＤコンバータ（Ａ／Ｄ）６５とからなる。ＣＤＳ６３はアナログ信号のノイズを除去し、ＡＭＰ６４はアナログ信号を増幅し、Ａ／Ｄ６５はアナログ信号をデジタル変換して画像データを生成する。
【００２８】
アナログ信号処理回路６２により生成された画像データは、デジタル信号処理回路６６に送られる。デジタル信号処理回路６６に取り込まれた画像データは、フレームメモリ６７に一時的に記憶される。
【００２９】
デジタル信号処理回路６６は、ＡＦ回路、ＡＥ／ＡＷＢ回路、画像処理回路、圧縮伸張回路、メディアコントローラからなるＩＣチップであり、フレームメモリ６７に記憶された画像データに対して、各種の信号処理を施すとともに、ＬＣＤ６８への画像の表示や、記録部６９に着脱自在に設けたメモリカードへアクセスして画像ファイルの読み書きを行う。なお、ＡＦ回路は、ＣＣＤ１５が撮像した画像に基づいて焦点位置を検出し、レンズ群２３を移動してフォーカシングを行う。ＡＥ／ＡＷＢ回路は、被写体輝度を測定し、撮影時の露出およびホワイトバランスを調整する。画像処理回路は、画像データに対して、ガンマ補正、シャープネス補正、コントラスト補正などの画像補正処理を施す他、撮像された画像データを輝度信号であるＹデータと、青色色差信号であるＣｂデータ及び赤色色差信号であるＣｒデータとからなるＹＣデータに変換するＹＣ変換処理を施す。
【００３０】
圧縮伸張回路は、画像処理回路によって各種の画像処理が施された本画像に対して、圧縮処理を施した後、圧縮済みの本画像を格納した画像ファイルを生成する。メディアコントローラは、記録部６９のメモリカードへアクセスして画像ファイルの記録と読み込みとを行う。再生モードにおいては、メモリカードに記録された本画像に対して圧縮伸張回路による伸張処理が施された後、この本画像がＬＣＤ６８に出力される。
【００３１】
上記実施形態のレンズ装置１０では反射部材としてプリズム１２を用いているが、図６及び図７に示す実施形態は、両面反射ミラー７０を用いるレンズ装置７７の例である。両面反射ミラー７０は、第１反射面７１と第２反射面７２とを平行（回転対称の位置）に配したものである。保持部材７３には、第１レンズ群１１、両面反射ミラー７０、及び、第２レンズ群１３が各々位置決めした状態で組み込まれている。保持部材７３には、一対の回転軸７４が設けられている。一対の回転軸７４は、第１及び第２光軸１６，２４を含む面に直交する軸である。
【００３２】
これにより、保持部材７３が第１位置のときには、第１及び第２光軸１６，２４の上に第１及び第２レンズ群１１，１３が挿入されるとともに、第１反射面７１が第１及び第２光軸１６,２４上にセットされる位置に両面反射ミラー７０が回転する。第２位置のときには、第１及び第２光軸１６，２４の上から第１及び第２レンズ群１１，１３が退避するとともに、第２反射面７２が第１及び第２光軸１６,２４上にセットされる位置に両面反射ミラー７０が回転する。このように、反射部材としてプリズム１２の代わりに、両面反射ミラー７０を用いると、全系の軽量化を図ることができる。なお、図６及び図７では、図１ないし図３で説明したものと実質的に同じ部材には同符号を付与し、ここでは詳しい説明を省略する。
【００３３】
図８ないし図１２に示す実施形態は、片面反射ミラー８２を用いたレンズ装置７８の例である。詳しくは図９に示すように、移動部材８０には、第１レンズ群１１が保持されており、また、開口７９が形成されている。この移動部材８０は、下面を開放した直方体状になっており、スライド機構８１により結像レンズ系１４に対して第２光軸２４と平行に移動する。移動部材８０が第１位置ときには、第１レンズ群（他方のレンズ群）１１が第１光軸１６上に一致する位置に挿入され、また、第２位置のときには第１レンズ群１１を第１光軸１６上から退避させ、代わりに開口７９を第１光軸１６上に挿入する。
【００３４】
ここで、第１レンズ群１１は移動部材８０の移動と一緒に移動することで第１光軸１６に対して挿脱される。これに対し、第２レンズ群（一方のレンズ群）１３は、退避スペースを少なくするために、移動部材８０の移動軌跡内に退避スペースが取られている。このため、反射ミラー８２が邪魔になる。そこで、ぶつからないように反射ミラー８２を一時的に退避位置に移動させている間に第２レンズ群１３の挿脱動作を行い、第２レンズ群１３の挿脱動作中又は挿脱動作の完了後に反射ミラー８２を元の位置に戻すように工夫している。これら第２レンズ群１３と反射ミラー８２とは、移動部材８０の移動に連係するカム機構により挿脱動作が行われる。
【００３５】
移動部材８０の内部には、反射ミラー８２と、第２レンズ群１３を保持する第２レンズ保持部材８３が回転自在に配されている。図示していないが、反射ミラー８２は反射ミラー支持手段に、また、第２レンズ群１３はレンズ支持手段にそれぞれ回転自在に支持されている。これら反射ミラー８２と、第２レンズ保持部材８３とは、移動部材８０と一緒に移動することはなく、移動部材８０の移動軌跡内で互いの回転軌跡が重なるように回転するのみである。
【００３６】
反射ミラー８２は、一方の面に反射面８２ａを有し、両側に設けた回転軸８４を中心として、挿入位置と退避位置との間で回転する。この回転は、移動部材８０が第１位置から第２位置に移動する間に、挿入位置から退避位置を経て再び挿入位置に戻るまでの一往復分の回転になっている。挿入位置のときには、第１光軸１６に沿って入射する被写体光を反射面８２ａで第２光軸２４に向けて折り曲げる。退避位置のときには、反射面８２ａが第２レンズ保持部材８３の回動軌跡外に退避する。
【００３７】
第２レンズ保持部材８３は、両側に設けた回転軸８５を中心として移動部材８０が第１位置と第２位置との間で移動する間に、挿入位置と退避位置との間で回転する。挿入位置のときには、第２レンズ群１３が第２光軸２４に一致する。退避位置のときには、結像レンズ系１４の光路から退避する。
【００３８】
反射ミラー８２と、第２レンズ保持部材８３とには、それぞれ両側にカム突起８６，８７が設けられている。これらカム突起８６，８７は、移動部材８０に設けた一対のカム開口８９，９０にそれぞれ係合している。なお、カム開口８９，９０の代わりにカム溝でもよい。
【００３９】
カム開口８９は、第１ないし第３カム面８９ａ〜８９ｃを有する。第１カム面８９ａは、移動部材８０が第１位置から第２位置に向けて移動する全移動域のうちの初期移動域のときにカム突起８６に係合し、図１０に示すように、反射ミラー８２を挿入位置から退避位置に向けて移動させる。第２カム面８９ｂは、移動部材８０の全移動域のうちの初期移動域後の中間移動域のときにカム突起８６に係合し、図１１に示すように、反射ミラー８２を退避位置に維持する。第３カム面８９ｃは、移動部材８０の全移動域のうちの中間移動域後の最終移動域のときにカム突起８６に係合し、図１２に示すように、反射ミラー８２を再び挿入位置に戻す。
【００４０】
カム開口９０も、第１ないし第３カム面９０ａ〜９０ｃを有する。第１カム面９０ａは、移動部材８０の初期移動域のときにカム突起８７に係合し、図１０に示すように、反射ミラー８２が退避位置に移動する間に第２レンズ保持部材８３を挿入位置に維持する。第２カム面９０ｂは、移動部材８０の中間移動域のときにカム突起８７に係合し、図１１に示すように、反射ミラー８２が退避位置で維持している間に第２レンズ保持部材８３を退避位置に向けて移動させる。第３カム面９０ｃは、移動部材８０の最終移動域のときにカム突起８７に係合し、図１２に示すように、反射ミラー８２が挿入位置に移動する間に第２レンズ保持部材８３を退避位置に維持する。
【００４１】
なお、移動部材８０を第２位置から第１位置に向けて移動するときには、前述したと逆の手順、すなわち、反射ミラー８２が退避位置に向けて移動する間に第２レンズ保持部材８３を挿入位置に向けて移動させる手順になる。
【００４２】
このように、カム開口８９のカム面８９ａ〜８９ｃは、反射ミラー８２を一時的に退避位置に移動させ、第２レンズ群１３が退避位置に移動した後に再び挿入位置に戻るまでの一往復移動を行わせる。そして、カム開口９０のカム９０ａ〜９０ｃは、反射ミラー８２が退避位置に向けて移動中又は移動後に、反射ミラー８２が退避することで生じる空間を通して第２レンズ群１３を挿脱する。
【００４３】
図８ないし図１２で説明した実施形態では、移動部材８０を第２光軸２４と平行に移動させているが、第２光軸２４を中心として移動部材８０を回転させても前記カム機構により前述したと同じ動作を得ることができる。また、移動部材を第１光軸１６と平行に移動させる構成にしてもよい。この場合には、移動部材に第２レンズ群１３を保持させ、移動部材の移動に連動して反射ミラー８２と第１レンズ群１１とをカム機構により回転させればよい。さらに、第２レンズ群１３を保持する移動部材を、第１光軸１６を中心として回転させることで反射ミラー８２と第１レンズ群１１とをカム機構で回転させる構成にしてもよい。
【００４４】
上記各実施形態で説明したアフォーカル系は、ワイドコンバータとして説明しているが、テレコンバータとしてもよい。また、前記第２光軸２４を垂直方向に沿わした姿勢で説明しているが、水平方向に沿わした姿勢でも使用することができる。
【産業上の利用可能性】
【００４５】
上記各実施形態で説明したレンズ装置は、電子カメラのみならず、カメラ付き携帯電話やビデオカメラなどにも採用することができる。
【図面の簡単な説明】
【００４６】
【図１】プリズムを用いた折り曲げ光学系のレンズ装置を示す断面図であり、第１及び第２レンズ群を挿入した状態を示している。
【図２】第１及び第２レンズ群を退避した状態のレンズ装置を示す断面図である。
【図３】レンズ装置の概略を示す斜視図である。
【図４】レンズ装置の変倍域を示す説明図である。
【図５】レンズ装置を組み込んだ電子カメラの電気的概略を示すブロック図である。
【図６】両面反射ミラーを用いた折り曲げ光学系のレンズ装置の別の実施形態を示す断面図であり、第１及び第２レンズ群を挿入した状態を示している。
【図７】図６で説明したレンズ装置の断面図であり、第１及び第２レンズ群を退避した状態を示している。
【図８】第１レンズ群をもつ移動部材をスライド移動させることに連動して第２レンズ群を挿脱して焦点距離を切り替えるレンズ装置の他の実施形態を示す斜視図である。
【図９】図８で説明したレンズ装置の断面図であり、第１及び第２レンズ群を挿入した状態を示している。
【図１０】図８で説明したレンズ装置の断面図であり、反射ミラーを一時的に退避させている状態を示している。
【図１１】図８で説明したレンズ装置の断面図であり、反射ミラーを退避させた後に第２レンズ群を退避位置に向けて移動している状態を示している。
【図１２】図８で説明したレンズ装置の断面図であり、第１及び第２レンズ群を退避した状態を示している。
【符号の説明】
【００４７】
１０，７７，７８  レンズ装置
１１  第１レンズ群
１２  プリズム
１３  第２レンズ群
１４  結像レンズ系
１５  撮像手段
２６，７３  保持部材
７０  両面反射ミラー
８０  移動部材
８２  反射ミラー
【図１】
2009063838.tif 000003
【図２】
2009063838.tif 000004
【図３】
2009063838.tif 000005
【図４】
2009063838.tif 000006
【図５】
2009063838.tif 000007
【図６】
2009063838.tif 000008
【図７】
2009063838.tif 000009
【図８】
2009063838.tif 000010
【図９】
2009063838.tif 000011
【図１０】
2009063838.tif 000012
【図１１】
2009063838.tif 000013
【図１２】
2009063838.tif 000014